(57)【要約】【課題】分割式ナットの欠点である部品数を減らし、ナットの取り付け及び取り外しをより容易なものにする。【解決手段】分割したナットと固定具を１つにまとめ、機能させることでこの課題を解決した。分割されたナット左部１に固定ワイヤ５を有した固定具ベース３があり、ナット右部２にはワイヤ５を引っかけるための突起２ａがある。この固定ワイヤ５を突起２ａに引っかけ固定具ベース３により締め付けることで固定できる。取り外しは、固定具ベース３により締め付けられた固定ワイヤ５を緩めることで、簡単に取り外すことができる。このように、１つのナットに分割及び固定具の機能を持たせることで容易にナットの取り付けおよび取り外しができ、かつ従来品に比べ取り扱いやすいものとなる。【選択図】図１
2008267472.tif 000002
【特許請求の範囲】
【請求項１】
ナットを複数のベースに分割し、各々の分割されたベースを移動可能に接続し、その各接続部に弾性体を用いてナット内側のねじ山がボルト側のねじ山を締め付ける力を付与したことを特徴とする分割ナット
【請求項２】
前記ナットに強度を増すため、接続部に固定具を取り付け、開閉しないように接続部を固定することができることを特徴とする請求項１に記載の分割ナット
【請求項３】
請求項２のナットにさらに強度を増すために、固定具に外装カバーを有したことを特徴とする請求項１に記載の分割ナット
【請求項４】
生産性を上げるため、ボルト側のねじ山を締め付ける機能または固定具のいずれかを排除したことを特徴とする簡易セミ分割ナット
【発明の詳細な説明】
【技術分野】
【０００１】
現在広範に用いられている六角ナットは、長いボルトまたはシャフトに取り付け・取り外しする際、回すという動作に時間と労力を必要とした。本発明は、取り付け及び取り外しを容易にするナットに関するものである。
【背景技術】
【０００２】
従来の取り付け及び取り外しを容易にするナットとして、分割式のナットがあった。しかし、特許文献１に示される従来技術のような分割ナットでは、別途の固定部材を必要とし、部品数が多く、取扱が不便である。高所で使用する場合において、部品数が多くなることは、部品を落とすリスクが大きくなり、大事故に繋がりかねない。また、特許文献２に示される従来技術のような環状の早締め早外しナットでは、ねじ山先端部からの着脱しか行えないという欠点があった。
【０００３】
この改善策として、固定具及びボルト側のねじ山を締め付ける機能を１つのナットに持たせることで、取扱いを容易にし、部品落下のリスクを低減させる。
【特許文献１】特開２００４−２１８８２２
【特許文献２】特開平７−２６９５４８
【発明の開示】
【発明が解決しようとする課題】
【０００４】
ナットを取り付け及び取り外しする際に問題となる、回すという動作を極力排除し、取り付けおよび取り外しを容易にすることである。
【０００５】
分割式ナットの欠点である、ボルトおよびシャフトへの、分割ナット取り付け時における部品数を減らすことで、取扱を容易にすることである。
【０００６】
従来の分割ナットでは部品数の多さから、一般のナットに比べ、部品を落とすというリスクが増加した。作業現場が高所である場合、部品の落下は大事故に繋がる可能性が高く、このリスクを減らすことである。
【０００７】
リユースおよびリサイクルを実施するには、まず分解作業を行い部品ごとに分ける必要がある。従来のナットが使用された製品をリユースおよびリサイクルするために分解する際、長いボルトが使用されていた場合、ねじ山先端まで回して取り外す必要があった。本発明品は、任意の位置で簡単に取り外すことが出来る。また、ボルトおよびシャフト側のねじ山が錆付いて回すことができない場合でも、開閉が可能であるため取り外すことが可能である。この機能により、分解作業の効率を良くすることで、リユースおよびリサイクルの促進を目指す。
【課題を解決するための手段】
【０００８】
上述した課題を解決するための手段として、本発明はナットを複数のベースに分割し、各々の分割されたベースを移動可能に接続し、その各接続部に弾性体を用いてナット内側のねじ山がボルト側のねじ山を締め付ける力を付与したことを特徴としている。
【０００９】
また、この発明に関わる分割ナットにおいて、強度を増すため、接続部に固定具を取り付け、開閉しないように接続部を固定することができることを特徴としている。
【００１０】
また、この発明に関わる分割ナットにおいて、前述した固定具にさらに強度を増すために、固定具に外装カバーを有したことを特徴としている。
【００１１】
また、この発明に関わる分割ナットにおいて、生産性を上げるため弾性体によるボルト側のねじ山を締め付ける機能または固定具のいずれかを排除したことを特徴としている。
【発明の効果】
【００１２】
従来品に比べ、本発明品はナットを複数のベースに分割し、各々の分割されたベースを移動可能に接続し、その各接続部に弾性体を用いてナット内側のねじ山がボルト側のねじ山を締め付ける力を付与したことにより、部品を落とすというリスクが軽減できる。また、ナット自身に固定具の機能を持たせることで部品数を減らすことを可能とした。これにより、これまでの分割ナットに比べ、作業性が飛躍的に向上する。
【００１３】
ナットに設けられた固定具による締結のため、部品数も少なく、簡単に取り扱うことができ、任意の位置で取り外すことができる。このため長いボルトやシャフトに使用した場合でも、ねじ山先端まで回す必要もなく取り外しができる。また、ボルトやシャフトのねじ山が錆付いてナットが回せない場合でも、固定具の締結を解除することで取り外すことが可能である。これらの機能を有したナットを製品に用いることで、組立作業はもちろんのこと、リユースおよびリサイクルする際に必要となる分解作業も簡易化され、リユースおよびリサイクル性の向上にも繋がる。
【００１４】
高層ビルなど高所での作業現場において、部品を落とすというリスクが軽減でき、簡単に手早く作業ができる。
【発明を実施するための最良の形態】
【００１５】
資源有効利用促進法において指定されている、指定資源化製品および指定再利用促進製品に本発明を使用することで、分解作業がスムーズに行え、リサイクル・リユース性の向上ができる。
このようなときに、本発明の能力が発揮される。
【実施例１】
【００１６】
以下、本発明の好適な一実施例について、添付図面を参照して詳細に説明する。
【００１７】
図１は本発明に関する一実施例の分割ナットの構造を示す斜視図である。
【００１８】
１はナットのベース左部である。図２について、１ａは固定具ベース連結シャフト４を通すために空けられた穴である。１ｂはバネ固定およびナット連結具８および９のシャフト８ａおよび９ａを通すために空けられた貫通穴であり、円弧状の穴により分割ナットの開閉時にシャフトに邪魔されることなくベースが回転運動し、分割ナットを開閉させることができる。１ｃはバネ固定およびナット連結具８および９のバネ固定側シャフト８ｂおよびナット連結側シャフト９ｂを通すために空けられた貫通穴である。１ｄは上面、下面の両面に空けられており、両面にバネが取り付けられるようになっている。上面の穴にはバネ上６の固定突起６ｂを差し込み、下面の穴にはバネ下７の固定突起７ｂを差し込む。
【００１９】
２はナットのベース右部である。図３について、２aは固定ワイヤ５を引っ掛けるための突起である。２ｂはバネ固定およびナット連結具８および９のシャフト８aおよび９aを通すために空けられた貫通穴であり、円弧状の穴により分割ナットの開閉時にシャフトに邪魔されることなくベースが回転運動し、分割ナットを開閉させることができる。２ｃはバネ固定およびナット連結具８および９のバネ固定側シャフト８ｂおよびナット連結側シャフト９ｂを通すために空けられた貫通穴である。２ｄは上面、下面の両面に空けられており、両面にバネが取り付けられるようになっている。上面の穴にはバネ上６の固定突起６ｃを差し込み、下面の穴にはバネ下７の固定突起７ｃを差し込む。
【００２０】
３は固定具ベースである。図４について、３aは固定ワイヤ５の５aおよび５ｂを差し込むために空けられた穴である。３ｂは固定具ベース連結シャフト４を通すために空けられた穴である。固定具ベース連結シャフト貫通穴１aおよび３ｂに固定具ベース連結シャフト４を通すことで、これらのパーツを連結する。このとき、固定具３が回転するように、ナット左部１と固定具ベース連結シャフト４を固定する。固定具ベース３を起こすことで固定ワイヤ５が緩む。固定ワイヤ５をナット右部２に設けられた固定ワイヤ引っ掛け突起２aに引っ掛けた後、倒すことで固定ワイヤ５を引っ張る力が発生し、固定ワイヤ５が固定ワイヤ引っ掛け突起２aを締め付け、分割されたナット左部１およびナット右部２を強固に閉じる。
【００２１】
４は固定具ベース連結シャフトである。ナット左部１と固定具ベース３を連結するための役割をする。固定具ベース連結シャフト貫通穴１aおよび３ｂに固定具ベース連結シャフト４を通し、固定具ベース３が回転するよう連結する。
【００２２】
５は固定ワイヤである。図６について、５aはワイヤを固定具ベースに空けられた穴３aに取り付けるためのワイヤ連結突起上である。同様に５ｂはワイヤを固定具ベースに空けられた穴３aに取り付けるためのワイヤ連結突起下である。５ｃはナット右部２に設けられた固定ワイヤ引っ掛け突起２aに引っ掛ける部分である。この引っ掛け部５ｃを固定ワイヤ引っ掛け突起２aを引っ掛け、固定具ベース３を倒すことにより、締め付ける力が発生しナットを強固に閉じることができる。
【００２３】
６はナット上面に取り付けるためのバネである。図７について、６aはバネ固定側シャフト上８aを通すための穴である。バネ固定シャフト穴６aにバネ固定側シャフト上８aを通し、バネ固定側シャフト上８aとバネ固定側シャフト下９aを、シャフトを形成するように円柱状に接着することでバネを固定することができる。６ｂは上面のバネ固定穴１ｄに差し込み、バネを固定するための突起である。同様に６ｃは上面の２ｄに差し込み、バネを固定するための突起である。このナット上面に取り付けられたバネ上６の反発力がバネ固定およびナット連結具の８aおよび９aの形成する軸を中心に、上面の１ｄおよび２ｄを押し、ナットの開閉部分を閉じる力を発生させることで、人の力を借りずボルトに付くことができる。
【００２４】
７はナット下面に取り付けるためのバネである。図８について７aはバネ固定シャフト９aを通すための穴である。バネ固定シャフト穴７aにバネ固定側シャフト下９aを通し、バネ固定側シャフト上８aとバネ固定側シャフト下９aを、シャフトを形成するように円柱状に接着することでバネを固定することができる。７ｂは下面のバネ固定穴１ｄに差し込み、バネを固定するための突起である。同様に７ｃは下面の２ｄに差し込み、バネを固定するための突起である。バネ上６と同様、バネ下７はナットの下面の１ｄおよび２ｄに取り付けられ、バネの反発力によりバネ固定およびナット連結具の８aおよび９aの形成する軸を中心に、下面の１ｄおよび２ｄを押し、ナットの開閉部分を閉じる力を発生させることで、人の力を借りずボルトに付くことができる。
【００２５】
８は上面からバネを固定し分割されたナットを連結するための、バネ固定およびナット連結具上である。図９について、８aはバネ上６を固定するためのシャフトである。８ｂは分割されたナットを開閉できるよう連結するためのシャフトである。バネ固定およびナット連結具上８とバネ固定およびナット連結具下９の円柱側の面を接着することで、バネ固定側シャフトとナット連結シャフトを形成する。
【００２６】
９は下面からバネを固定し分割されたナットを連結するための、バネ固定およびナット連結具下である。図１０について、９aはバネ下７を固定するためのシャフトである。９ｂは分割されたナットを開閉できるよう連結するためのシャフトである。バネ固定およびナット連結具上８とバネ固定およびナット連結具下９の円柱側の面を接着することで、バネ固定側シャフトとナット連結シャフトを形成する。
【００２７】
図１においてナットのベース部はベース左部１とベース右部２に２分割され、それをナット連結側シャフト８ｂおよび９ｂによってナットを連結するため形成されたシャフトを軸とし、回転運動するようになっている。この機構により、ナットの片方が開閉可能であり、ボルトやシャフトに対し、任意の位置で取り付けることが可能となる。
【００２８】
また、本ナットにはナットをボルトに固定するための機能として上下の両面にバネを取り付けることで、ナット内側のネジ山がボルト側のネジ面を挟みこむという機能を持たせている。上面にはバネ上６を上面のバネ固定穴１ｄおよび２ｄに６ｂおよび６ｃをそれぞれ差し込み、バネ固定シャフト穴６aにバネ固定側シャフト８aを通す。そして下面にはバネ下７を下面のバネ固定穴１ｄおよび２ｄに７ｂおよび７ｃをそれぞれ差し込み、バネ固定シャフト穴７aにバネ固定側シャフト９aを通す。最後に８ａと９ａを接着することで、この両面のバネは固定される。同時にナット連結側シャフト８ｂおよび９ｂの形成するシャフトを、１ｃの間に２ｃをはめ込みできたナット連結シャフト貫通穴に通し接着する。これにより、分割されたベース左部１とベース右部２は連結される。
【００２９】
固定具はベース左部１に締め付ける側の固定具ベース３および固定ワイヤ５があり、ベース右部２には締め付けられる側の固定ワイヤ引っ掛け突起２ａが設けられている。固定具ベース３は固定具ベース連結シャフト４をベース左部１のバネ固定シャフト貫通穴１ｂおよび固定具ベース連結シャフト貫通穴３ｂに通し、回転運動が出来るように取り付けられている。固定ワイヤ５は固定具ベース３に空けられた固定ワイヤ穴３ａにワイヤ連結突起上５ａとワイヤ連結突起下５ｂをそれぞれ差し込むことで固定される。また、このワイヤは接着されておらず回転運動が可能である。
【００３０】
以上、それぞれの部品を連結および固定することで、固定具機能およびナット内側のネジ山がボルト側のネジ面を挟みこむという機能を持ったクリップ式セミ分割ナット０を形成する。その完成品の斜視図を図１１および図１２に示す。
【００３１】
取り付け時は、ベース左部１とベース右部２を持ち、外に開く力を加えベース左部１およびベース右部２を回転運動させることでナットの開閉部が開らく。そして、左右両ナット内側に形成されたネジ山部分をボルト側ネジ山部分と任意の位置でかみ合わせ、手を離せばバネ上６およびバネ下７の力により、分割されたナットがボルトを締め付け自力でボルトに付く。その後、固定具ベース３に取り付けられた固定ワイヤ５の引っ掛け部５ｃを、ベース右部２に設けられた固定ワイヤ引っ掛け突起２ａに引っ掛け固定具ベース３を倒す。固定具ベース３を倒すことで、固定具ベース３はワイヤ５を引っ張り固定ワイヤ引っ掛け突起２ａを締め付ける。この力により、左右の分割されたベースの開閉部分が強固に閉じられ、分割されたナットは完全に固定される。あとは従来のナットと同様、工具を用いて締め付け面まで回し固定する。
【００３２】
取り外し時は、まず固定具ベース３を起こし固定ワイヤ５の締め付けを解除し緩めてやる。そして、固定ワイヤ引っ掛け突起２ａから引っ掛け部５ｃを取り外す。最後に、ベース左部１とベース右部２を持ち、外に開く力を加えベース左部１およびベース右部２を回転運動させることでナットの開閉部を開らくことで、簡単にボルトからナットを取り外すことが可能である。
【実施例２】
【００３３】
図１３は請求項３で述べた、クリップ式セミ分割ナット０の開閉部分をより強固に閉じるため外装カバー１０ａを取り付けた一実施例である。図１４について、固定具ベース側に外装カバー１０ａを取り付けるためのシャフト１０ｂがあり、そこに外装カバー１０ａを取り付ける。なお、外装カバー１０ａはフレキシブルな素材を用いることで、たわませることにより、手作業で外装カバー取り付けシャフト１０ｂに取り付けられるものとする。また外装カバーには穴が空けられており、その穴にナットのベース右部２にある半球状の突起１０ｃをはめ込むことで外装カバー１０ａの固定ができる。なお、ベース右部２に設けられた突起１０ｃは半球状であり、外装カバー１０aを指で持ち、外装カバー取り付けシャフト１０ｂを軸とした回転運動させることで突起上をスライドし、簡単に固定および固定の解除をすることができる。これにより、固定具ベース３の起き上がりを防ぎ、より強固に分割された左右ナットの開閉部を閉じることができる。また、不意の衝撃による固定具ベース３の起き上がりも防ぐことができる。
【００３４】
外装カバーを有したクリップ式セミ分割ナット１０を取り付けるには、上述したクリップ式セミ分割ナットの取り付け順に従いボルトに取り付けた後、突起１０ｃに外装カバーの穴をはめ込むことで取り付けられる。あとは従来のナットと同様、工具を用いて締め付け面まで回し固定する。取り外し時は、外装カバーの固定用穴が突起１０ｃにはまっているので、外装カバーを指で持ち外装カバー取り付けシャフト１０ｂを軸とした回転運動させ、突起１０ｃから外装カバーの穴をスライドし、取り外すことで固定は解除できる。
【実施例３】
【００３５】
図１５は請求項４で述べたクリップ式セミ分割ナット０から固定具を取り除いた簡易セミ分割ナットの、一実施例を表す図である。クリップ式セミ分割ナットから、固定具となる固定具ベース３、固定具ベース連結シャフト４、固定ワイヤ５を排除した分割ナットである。取り付け時は、ベース左部１とベース右部２を持ち、外に開く力を加えベース左部１およびベース右部２を回転運動させることでナットの開閉部が開らく。そして、左右両ナット内側に形成されたネジ山部分をボルト側ネジ山部分と任意の位置でかみ合わせ、手を離せばバネ上６およびバネ下７の力により、分割されたナットがボルトを締め付け自力でボルトに付く。あとは従来のナットと同様、工具を用いて締め付け面まで回し固定する。取り外し時は、ベース左部１とベース右部２を持ち、外に開く力を加えベース左部１およびベース右部２を回転運動させることでナットの開閉部を開らくことで、簡単にボルトからナットを取り外すことが可能である。
【実施例４】
【００３６】
図１６は請求項４で述べたクリップ式セミ分割ナット０から、ボルト側のねじ山を締め付ける機能を排除した簡易セミ分割ナットの一実施例を表す図である。ねじ山を締め付ける機能を排除し、固定具による締め付けでのみ固定する。取り付け時は、ベース左部１とベース右部２を持ち、外に開く力を加えベース左部１およびベース右部２を回転運動させることでナットの開閉部が開らく。そして、左右両ナット内側に形成されたネジ山部分をボルト側ネジ山部分と任意の位置でかみ合わせ、手で押さえる。そして固定具ベース３に取り付けられた固定ワイヤ５の引っ掛け部５ｃを、ベース右部２に設けられた固定ワイヤ引っ掛け突起２ａに引っ掛け固定具ベース３を倒す。固定具ベース３を倒すことで、固定具ベース３はワイヤ５を引っ張り固定ワイヤ引っ掛け突起２ａを締め付ける。この力により、左右の分割されたベースの開閉部分が閉じられ、分割されたナットは完全に固定される。あとは従来のナットと同様、工具を用いて締め付け面まで回し固定する。取り外し時は、まず固定具ベース３を起こし固定ワイヤ５の締め付けを解除し緩めてやる。そして、固定ワイヤ引っ掛け突起２ａから引っ掛け部５ｃを取り外す。最後に、ベース左部１とベース右部２を持ち、外に開く力を加えベース左部１およびベース右部２を回転運動させることでナットの開閉部を開らくことで、簡単にボルトからナットを取り外すことが可能である。
【００３７】
前述実施例において上面および下面を区別したが、これは説明を容易にするためであり、バネ６，７およびバネ固定およびナット連結具８，９については同形状の部品である。また左右についても同様に、特にこだわる必要はないものとする。
【００３８】
なお、前述の実施例は分割ナットを２分割した一実施例を説明したが、３以上に分割することもできる。また、前述実施例では分割されたベース間を接続するのに軸を中心に回転させたが、お互いのベースを弾性片で接続させることにより開閉させることもできる。
【００３９】
また、外装カバーについても一実施例として、外装カバーに空けられた穴を突起にはめ込むことによる固定方を挙げたが、接着やスナップフィットなどの固定部材を用いて固定することもできる。
【図面の簡単な説明】
【００４０】
【図１】クリップ式セミ分割ナットの分解された斜視図である。
【図２】ベース左部の部品図である。
【図３】ベース右部の部品図である。
【図４】固定具ベースの部品図である。
【図５】固定具ベース連結シャフトの部品図である。
【図６】固定ワイヤの部品図である。
【図７】バネ上の部品図である。
【図８】バネ下の部品図である。
【図９】バネ固定およびナット連結具上の部品図である。
【図１０】バネ固定およびナット連結具下の部品図である。
【図１１】クリップ式セミ分割ナットのバネ側から見た斜視図である。
【図１２】クリップ式セミ分割ナットの固定具側から見た斜視図である。
【図１３】外装カバーを有したクリップ式セミ分割ナットの斜視図である。
【図１４】外装カバーを有したクリップ式セミ分割ナットから、外装カバーを取り外した際の斜視図である。
【図１５】クリップ式セミ分割ナットから、固定具を取り除いた簡易ナットの一実施例である。
【図１６】クリップ式セミ分割ナットから、バネを取り除いた簡易ナットの一実施例である。
【符号の説明】
【００４１】
０  クリップ式セミ分割ナット
１  ベース左部
２  ベース右部
３  固定具ベース
４  固定具ベース連結シャフト
５  固定ワイヤ
６  バネ上
７  バネ下
８  バネ固定およびナット連結具上
９  バネ固定およびナット連結具下
１０  外装カバーを有したクリップ式セミ分割ナット
１１  固定具を排除した簡易セミ分割ナット
１２  ボルト側のねじ山を締め付ける機能を排除した簡易セミ分割ナット
１ａ  固定具ベース連結シャフト貫通穴
１ｂ  バネ固定シャフト貫通穴
１ｃ  ナット連結シャフト貫通穴
１ｄ  バネ固定穴
２ａ  固定ワイヤ引っ掛け突起
２ｂ  バネ固定シャフト貫通穴
２ｃ  ナット連結シャフト貫通穴
２ｄ  バネ固定穴
３ａ  固定ワイヤ穴
３ｂ  固定具ベース連結シャフト貫通穴
５ａ  ワイヤ連結突起上
５ｂ  ワイヤ連結突起下
５ｃ  引っ掛け部
６ａ  バネ固定シャフト穴
６ｂ  固定突起
６ｃ  固定突起
７ａ  バネ固定シャフト穴
７ｂ  固定突起
７ｃ  固定突起
８ａ  バネ固定側シャフト上
８ｂ  ナット連結側シャフト上
９ａ  バネ固定側シャフト下
９ｂ  ナット連結側シャフト下
１０ａ  外装カバー
１０ｂ  外装カバー取り付けシャフト
１０ｃ  外装カバー固定突起
【図１】
2008267472.tif 000003
【図２】
2008267472.tif 000004
【図３】
2008267472.tif 000005
【図４】
2008267472.tif 000006
【図５】
2008267472.tif 000007
【図６】
2008267472.tif 000008
【図７】
2008267472.tif 000009
【図８】
2008267472.tif 000010
【図９】
2008267472.tif 000011
【図１０】
2008267472.tif 000012
【図１１】
2008267472.tif 000013
【図１２】
2008267472.tif 000014
【図１３】
2008267472.tif 000015
【図１４】
2008267472.tif 000016
【図１５】
2008267472.tif 000017
【図１６】
2008267472.tif 000018